(57)【要約】【課題】包装袋を切断する際に発生した切片が内容物に混入した場合に、切片を容易に検知して、内容物から取り除くことができるようにする。【解決手段】内容物１１を包装する包装袋１２であって、内容物を取出す際に切断されるべき領域として、その内部に包装される内容物１１との色差△Ｅ＊ａｂが３０以上である着色領域１３を備えている。これにより、着色領域１３を切断する際に生じる切片１５が内容物１１に混入した場合に、該切片１５を検知し取り除くことが容易となる。【選択図】　図２
2004001819.tif 000002
【特許請求の範囲】
【請求項１】
内容物を包装する包装袋であって、その内部に包装されるべき内容物との色差△Ｅ＊ａｂが３０以上である着色領域を有していることを特徴とする包装袋。
【請求項２】
上記着色領域においては、包装袋を構成するシートの内側面および外側面のいずれもその内部に包装されるべき内容物との色差△Ｅ＊ａｂが３０以上であることを特徴とする請求項１に記載の包装袋。
【請求項３】
その内部に内容物が包装されている状態において、外部から内容物を視認可能な透明領域をさらに有していることを特徴とする請求項１または２に記載の包装袋。
【請求項４】
その内部に内容物を包装している状態において、外側となる２つの面を有する包装袋であって、
その内部に包装されるべき内容物との色差△Ｅ＊ａｂが３０以上である着色シートと、その内部に内容物が包装されている状態において、外部から内容物を視認可能な透明シートとを接着してなり、
上記２つの面のうち、一方の面が着色シートからなる着色領域であり、他方の面が透明シートからなる透明領域であることを特徴とする包装袋。
【請求項５】
請求項１ないし４のいずれか１項に記載の包装袋に内容物を包装してなることを特徴とする袋詰製品。
【請求項６】
請求項５に記載の袋詰製品から内容物を取出すために包装袋の一部を切断する切断装置であって、
上記袋詰製品を滑らせるための滑走面を備えており、該滑走面には該滑走面を上記袋詰製品が滑るときに上記包装袋の一部を切断するための突起部が設けられていることを特徴とする切断装置。
【請求項７】
上記滑走面が斜面であることを特徴とする請求項６に記載の切断装置。
【請求項８】
請求項５に記載の袋詰製品から内容物を取出す内容物取出し方法であって、
上記包装袋の着色領域を切断する切断ステップと、
上記包装袋から内容物を取出す取出しステップと、を含むことを特徴とする内容物取出し方法。
【請求項９】
上記取出しステップが、上記着色領域との色差△Ｅ＊ａｂが３０以上の面の上で行われることを特徴とする請求項８に記載の内容物取出し方法。
【請求項１０】
請求項５に記載の袋詰製品から取出した内容物を他の容器に詰替える内容物詰替え方法であって、
上記包装袋の着色領域を切断する切断ステップと、
上記包装袋から内容物を取出す取出しステップと、
該取出された内容物を他の容器に詰め替える詰替えステップとを含むことを特徴とする内容物詰替え方法。
【発明の詳細な説明】
【０００１】
【発明の属する技術分野】
本発明は、例えば食品の軟包材として好適に使用することのできる包装袋、および当該包装袋に食品等の内容物を包装してなる袋詰製品に関する。
【０００２】
【従来の技術】
従来、果物などの食品を包装する包材として缶が用いられているが、近年、軟包材として樹脂製のパウチ袋等が用いられてきている。製品がパウチ袋などに包装されている袋詰製品としては、例えば、外国で生産された食品を現地で包装した袋詰食品等が挙げられる。また、袋詰製品は、通常目視によってその内部の内容物を確認することができるように、包装袋には透明なシートが用いられている。
【０００３】
上記袋詰製品は直接消費者に届けられるものばかりではなく、加工業者等によって内容物が取出され、加工された製品として消費者に届けられるものもある。加工業者による加工がなされる場合には、内容物を取出すために包装袋が切断されることとなるが、この切断の際に包装袋の切片（切れ端）が発生し、当該切片が内容物に混入することがある。この切片は、内容物に混入した状態のまま消費者に届けられると、異物混入クレーム発生の原因となるため、加工を担当する作業者等によって内容物から取り除かれる必要がある。
【０００４】
【発明が解決しようとする課題】
しかしながら、従来の包装袋は、上記したように、袋詰製品の内容物を確認するために、光を透過する透明なシートにより構成されている。このため、加工の際に発生する切片は透明シートの切片となる。したがって、包装袋の切断の際に発生した切片が内容物に混入した場合に、作業者等が検知し切片を内容物から取り除くことが困難であるという問題点がある。この結果、切片が混入している加工後の製品が消費者に届けられることなり、異物混入クレームが発生する原因となる。
【０００５】
本発明は、上記の問題点を解決するためになされたもので、その目的は、包装袋の切片が内容物に混入した場合に、該切片を容易に検知して取り除くことができる包装袋、袋詰製品、切断装置、内容物取出し方法、および内容物詰替え方法を提供することにある。
【０００６】
【課題を解決するための手段】
本発明の発明者らは、上記の課題を解決するために鋭意検討した結果、包装袋に、内部物との色差（△Ｅ＊ａｂ）が３０以上である着色領域を設けることにより、内容物に混入した切片を容易に検知して取り除くことができることを見出し、本発明を完成させるに至った。
【０００７】
本発明の包装袋は、上記の課題を解決するために、内容物を包装する包装袋であって、その内部に包装されるべき内容物との色差△Ｅ＊ａｂが３０以上である着色領域を有していることを特徴としている。
【０００８】
上記の構成により、内容物を取出すために包装袋を切断するときに生じる切片が内容物に混入した場合に、該切片を容易に見つけ出すことができる。すなわち、包装袋を切断するときに着色領域を切断することにより、この際に生じる切片が、内容物との色差△Ｅ＊ａｂが３０以上である着色領域を含むものとなる。
【０００９】
内容物との色差△Ｅ＊ａｂが３０以上の着色領域は、内容物と容易に見分けられるから、内容物に混入した切片が着色領域を含むものである場合、当該切片を容易に検知することができる。したがって、内容物に混入した切片が検知されずに見逃されてしまうことを防いで、切片の混入が原因の異物混入クレームを防止することができる。
【００１０】
また、上記着色領域においては、包装袋を構成するシートの内側面および外側面のいずれもその内部に包装されるべき内容物との色差△Ｅ＊ａｂが３０以上であることが好ましい。
【００１１】
これにより、切片を取り除く作業者は、切片の面の向きに関わらず必ず着色領域を視認できるため、より確実に内容物に混入した切片を検知できる。なお、包装袋のシートの内側面とは包装袋に内容物を包装した状態で内容物側となる面をいい、外側面とは内容物を包装した状態で外側となる面をいう。
【００１２】
本発明において、色差△Ｅ＊ａｂとはＬ＊ａ＊ｂ＊表色系で表した色の色差をいう。例えば、２つの色の測定結果が、（Ｌ＊＝Ｌ１＊、ａ＊＝ａ１＊、ｂ＊＝ｂ１＊）と（Ｌ＊＝Ｌ２＊、ａ＊＝ａ２＊、ｂ＊＝ｂ２＊）とであった場合
△Ｅ＊ａｂ＝（（Ｌ１＊−Ｌ２＊）２＋（ａ１＊−ａ２＊）２＋（ｂ１＊−ｂ２＊）２）１／２である。
【００１３】
本発明の包装袋は、その内部に内容物が包装されている状態において、外部から内容物を視認可能な透明領域をさらに有していることが好ましい。
【００１４】
上記の構成により、透明領域を介して外部から目視により包装袋内部の内容物を確認することができる。
【００１５】
本発明の包装袋は、上記の課題を解決するために、その内部に内容物を包装している状態において、外側となる２つの面を有する包装袋であって、その内部に包装されるべき内容物との色差△Ｅ＊ａｂが３０以上である着色シートと、その内部に内容物が包装されている状態において、外部から内容物を視認可能な透明シートとを接着してなり、上記２つの面のうち、一方の面が着色シートからなる着色領域であり、他方の面が透明シートからなる透明領域であることを特徴としている。
【００１６】
上記の構成により、着色領域と透明領域とを備える包装袋を容易に製造することができる。すなわち、着色シートと透明シートとを接着することにより、内容物を取出すときに切断されるべき着色領域と、外部から包装袋の内部を視認するための透明領域とを備えた包装袋を容易に作製することができる。
【００１７】
また、上記包装袋は、内部に内容物を包装している状態において、外側となる２つの面を有し、そのうちの一方の面が着色シートからなる着色領域であり、他方の面が透明シートからなる透明領域である。これにより、着色シートからなる面を切断することにより、必ず着色領域を切断することができる。このため、より確実に着色領域を切断することが可能となる。
【００１８】
本発明の袋詰製品は、上記の課題を解決するために、上記包装袋に内容物を包装してなることを特徴としている。
【００１９】
上記の構成により、上記包装袋と同様、包装袋を切断する際に生じた切片と内容物とを容易に見分けることができる。すなわち、包装袋を切断する際に生じた切片が内容物に混入した場合に、該切片を容易に検知することが可能となる。したがって、内容物への切片の混入に起因する異物混入クレームの発生を防止することができる。
【００２０】
本発明の切断装置は、上記課題を解決するために、上記袋詰製品から内容物を取出すために包装袋の一部を切断する切断装置であって、上記袋詰製品を滑らせるための滑走面を備えており、該滑走面には該滑走面を上記袋詰製品が滑るときに上記包装袋の一部を切断するための突起部が設けられていることを特徴としている。
【００２１】
上記の構成により、袋詰製品の包装袋を切断してその内容物を取出すために、容易に包装袋の着色領域のみを切断することができる。すなわち、上記袋詰製品が上記滑走面を滑走するときに、包装袋の着色領域が上記突起部を通過するように袋詰製品を配置することにより、着色領域のみを切断できる。したがって、切断の際に生じる切片は、検知の容易な着色領域を含むものとなる。
【００２２】
なお、本発明の切断装置は、その内部に内容物を包装している状態において、外側となる２つの面を有する包装袋であって、当該２つの面のうち、一方の面が着色シートからなるもの切断に特に好適に用いることができる。着色シートからなる面が上記滑走面と接するように袋詰製品を配置することにより、確実に着色領域を切断できるからである。
【００２３】
また、上記滑走面は、斜面であることが好ましい。これにより、斜面の上に位置する領域に袋詰製品を配置することにより、重力を利用して滑走面の当該袋詰製品を滑らせて、包装袋の着色領域を切断することができる。
【００２４】
本発明の内容物取出し方法は、上記の課題を解決するために、上記袋詰製品から内容物を取出す方法であって、上記包装袋の着色領域を切断する切断ステップと、上記包装袋から内容物を取出す取出しステップと、を含むことを特徴としている。
【００２５】
上記の構成により、切断ステップにおいて生じる切片は内容物との見分けが容易な着色領域を含むものとなる。このため、取出しステップの作業者により、内容物に混入している切片を容易に検知することができる。
【００２６】
すなわち、内容物に異物としての切片が混入している場合であっても、切片は、内容物との色差△Ｅ＊ａｂが３０以上の領域を含むものであるから、内容物との見分けが非常に容易である。このため、取出しステップにおいて、作業者は内容物に混入している切片を容易に検知し、内容物から取り除くことができる。
【００２７】
また、上記取出しステップは、上記着色領域との色差△Ｅ＊ａｂが３０以上の面の上で行われることがより好ましい。これにより、取出しステップが行われる面上の切片をも容易に検知できるため、上記切断ステップで生じた切片をより確実に取り除くことができる。
【００２８】
本発明の内容物詰替え方法は、上記の課題を解決するために、上記袋詰製品から取出した内容物を他の容器に詰替える方法であって、上記包装袋の着色領域を切断する切断ステップと、上記包装袋から内容物を取出す取出しステップと、
該取出された内容物を他の容器に詰め替える詰替えステップとを含むことを特徴としている。
【００２９】
上記の構成により、切断ステップにおいて生じた包装袋の切片が内容物に混入した場合に、当該切片を取出しステップにおいて、容易に検知することができる。このため、詰替えステップにおいて、切片が混入している内容物が他の容器に詰め替えられることを防止することができる。
【００３０】
したがって、包装袋の切片が内容物に混入していることが検知されなかったことによる、異物混入クレームを防止することが可能となる。なお、本発明において、「他の容器」とは、切断ステップにおいて切断される包装袋以外の容器をいい、例えば、他の樹脂製の包装袋、缶、ビンなどが挙げられる。
【００３１】
【発明の実施の形態】
〔実施の形態１〕
本発明の実施の一形態について図１に基づいて説明すれば、以下のとおりである。本実施の形態の袋詰製品１０は、内容物１１と、内容物１１を包装する樹脂製の包装袋１２とからなっている。
【００３２】
包装袋１２は、内容物１１との色差△Ｅ＊ａｂが３０以上である着色領域１３（斜線により示す）と、その内部に内容物１１が包装されている状態において、外部から内容物１１を視認可能な透明領域１４とを有しているものである。
【００３３】
上記のように包装袋１２には、着色領域１３が設けられているから、着色領域１３を切断して内容物１１を取出すことができる。着色領域１３を切断すると、発生する切片は着色領域１３の切片となるため、作業者は、果物１１に混入した切片を検知し、除去することが容易となる。また、包装袋１２は、透明領域１４をも有しているため、作業者は、透明領域１４を通じて袋詰製品１０の内容物１１を確認することもできる。
【００３４】
包装袋１２としては、各種の樹脂フィルムを用いることができ、例えば、ポリエチレンフィルム、ポリプロピレンフィルム、ポリエチレンテレフタレートフィルム、ナイロンフィルム、ポリ塩化ビニリデンフィルムなどが挙げられる。
【００３５】
上記着色領域１３とは内容物１１との色差△Ｅ＊ａｂが３０以上の色の領域をいい、単色のみにより構成されていても、２色以上の組み合わせにより構成されていてもよい。
【００３６】
また、着色領域は１３、包装袋１２の切断される領域の全てに形成されていることが好ましい。これにより、切断の際に生じる切片の全面が着色領域１３となるため、内容物１１に混入した切片をより容易に検知することが可能となる。
【００３７】
ただし、包装袋１２の切断される領域の全てを着色領域１３とすることは必ずしも必要ではなく、包装袋１２を切断する際に生じる切片に着色領域１３が含まれるように形成されていればよい。切片１５に着色領域１３が含まれていれば、切片１５を内容物１１から容易に検知できるからである。例えば、着色領域１３により縞模様や、格子模様を形成するようにしてもよい。
【００３８】
図２は、袋詰製品１０の包装袋１２の切断の際に生じた切片１５が内容物１１に混入した状態の概略を示す正面図である。包装袋１２の着色領域１３を切断することにより、切片１５と内容物１１との色差△Ｅ＊ａｂを３０以上とすることができる。このため、内容物１１に混入した切片１５を容易に検知することが可能となる。したがって、切片１５による異物混入クレームを防止することができる。
【００３９】
図１に示す透明領域１４とは、目視により袋詰製品１０の外部から内容物１１を確認することが可能な領域をいい、無色透明、半透明、有色透明のいずれをも含むものであるが、無色透明とすることが好ましい。透明領域１４を無色透明とすることにより、袋詰製品１０の内容物１１状態を、色に関する情報をも含めて外部から視認することが可能となるからである。
【００４０】
なお、透明領域１４を、内容物１１を確認することが可能であり、且つ内容物１０との色差△Ｅ＊ａｂが３０以上である領域としてもよい。これにより、透明領域１４は着色領域１３としての機能をも果たすことができる。
【００４１】
内容物１１としては、リンゴ、桃、みかん、ぶどう等の果物や、つけもの等の食品；海産物などが挙げられる。また、内容物１１は、固体、あるいは液体と固体の混合物であってもよい。液体と固体との混合物としては、たとえば、果物のシロップ漬け、海産物の水煮などが挙げられる。
【００４２】
袋詰製品１０は、食品を包装している包装食品として、特に好適に実施することができる。一般に、消費者は、食品に対して高い衛生的環境で製造されていることを期待しているため、食べる直前あるいは食べた時点で、切片などの異物を発見した場合、特に不快な印象を受けることなる。そして、異物の混入が発見され場合、該食品の製造元の衛生管理に対する消費者の信頼性も低下するという問題が生じる。
【００４３】
このように、食品への異物の混入は、消費者のクレームおよび製造元に対するイメージダウンにつながりやすいため、内容物に対する異物の混入を容易に防止できる本実施の形態の包装袋１２および袋詰製品１０は、包装食品として特に好適である。
【００４４】
以上のように、本実施の形態の袋詰製品１０の包装袋１２は、内容物１１との色差△Ｅ＊ａｂが３０以上である着色領域１３を有しているから、内容物を取出す際に当該着色領域１３を切断することにより、切片を内容物１１から容易に検知することができる。このため、内容物１１に切片が混入したことを原因とする異物混入クレームの発生を防止することができる。
【００４５】
〔実施の形態２〕
本発明の実施の他の一形態を図３、および図４に基づいて説明すれば、以下のとおりである。図３（ａ）は本実施の形態の袋詰製品２０の概略を示す斜視図である。同図に示すように、本実施の形態の袋詰製品２０は、内容物を包装している状態において、外側となる２つの面を有する包装袋２２である。
【００４６】
上記包装袋２２は、内部に包装されるべき内容物２１との色差△Ｅ＊ａｂが３０以上である着色シート２３と、その内部に内容物２１が包装されている状態において、内容物２１を外部から視認可能な透明シート２４とをすることによって容易に作製することができる。より具体的には、大きさ及び形状が略同一である着色シート２３と透明シート２４とを、それぞれの周辺部において接着することにより、四方が接着されてなるパウチ袋を作製することができる。
【００４７】
なお、着色シート２３と透明シート２４との接着は、熱を加えることにより、シートを溶融させて融着したり、接着剤を用いてシートを接着したりすることにより行うことができる。
【００４８】
このように、包装袋２２の外側の２面のうち、一方を着色シート２３により形成し、他方を透明シート２４により形成することにより、一方の面を図３（ｂ）に示す着色領域（斜線で示す）３３とし、他方の面を図３（ｃ）に示す透明領域３４とすることができる。なお、着色シート２３としては、内容物との色差△Ｅ＊ａｂが３０以上である着色樹脂フィルムを用いることが好ましい。これにより、その表面に着色を施すことなく、着色シート２３の両面を着色領域３３とすることができる。
【００４９】
また、包装袋２２は、外部に面する２つの面のうち、一方の面の全領域が着色シート２３により形成された着色領域３３である。このため、着色シート２３により形成された面を切断することにより、確実に着色領域３３を切断することができる。したがって、切断の際に、着色領域３３を越えて透明領域３４を誤って切断することにより、検知の困難な切片が発生することを確実に防止することが可能となる。
【００５０】
上記着色シート２３および透明シート２４としては、各種の樹脂フィルム等を用いることができるが、例えば、例えば、ポリエチレンフィルム、ポリプロピレンフィルム、ポリエチレンテレフタレートフィルム、ナイロンフィルム、ポリ塩化ビニリデンフィルムなどが挙げられる。
【００５１】
本実施の形態の袋詰製品２０から内容物２１を取出すために好適に用いられる切断装置の一例を図４を用いて以下に説明する。
【００５２】
同図に示すように、切断装置５０は、切断手段（突起部）４０を有する斜面（滑走面）４１を備えており、当該斜面４１を滑らせることにより切断手段４０によって包装袋２２の着色領域３３を切断することができる。このため、作業者４３は、包装袋２２の着色領域３３が切断される際に発生する切片１５（図２参照）を内容物２１から容易に取り除くこができる。
【００５３】
上記切断手段４０は、包装袋２２の着色領域３３を切断することができるものであれば良くその形状は問われない。切断手段４０としては、例えば、鋭利な針状のもの、刃物状のものなどを用いることができる。また、本実施の形態においては、傾斜のある斜面４１を滑らせて着色領域３３を切断しているが、必ずしもこれに限られず平面としてもよい。ただし、斜面４１を平面とする場合は、平面状を滑らせるために袋詰製品２０を付勢する必要があるため、重力を利用して袋詰製品２０を滑らせることができる斜面４１のほうが好ましい。また、斜面４１は袋詰製品２０が滑りやすいように、その表面を平滑なものとすることが好ましい。
【００５４】
図４に示すように、袋詰製品２０ａを着色シート２３により形成されている面が切断手段４０に接するように配置した後、斜面４１を滑らせることにより、切断手段４０によって確実に着色領域３３が切断される。
【００５５】
このため、誤って透明シート２４よりなる透明領域３４が切断されて、内容物２１との見分けが困難な切片が内容物２１に混入することを確実に防止できる。
【００５６】
また、同図に示すように、切断手段４０により着色シート２３が切断された後の袋詰製品２０ｂは、透明シート２４により形成された面が作業者４３側に位置する。このため、作業者４３は、そのままの状態で袋詰製品２０の内容物２１を確認することができる。これにより、作業者４３の作業性を向上させることができ、例えば、複数の異なる種類の袋詰製品２０から内容物２１を取出して、種類に応じて異なる処理をする場合などに特に有効である。
【００５７】
以上のように、本実施の形態の袋詰製品２０および包装袋２２は、外部に面する２つの面のうち、一方が着色領域３３、他方が透明領域３４となっている。これにより確実に着色領域３３のみを切断でき、切断の際に生じた切片を内容物からより確実に取り除くことができる。
【００５８】
〔実施の形態３〕
本実施の形態の内容物取出し方法は、内容物と、該内容物との色差△Ｅ＊ａｂが３０以上である着色領域を有する包装袋と、からなる袋詰製品から内容物を取出す方法であって、上記包装袋の着色領域を切断する切断ステップと、上記包装袋から内容物を取出す取出しステップと、を含むものである。本実施の形態の内容物、着色領域、包装袋、および袋詰製品については、実施の形態１および２と同様であるため、その説明を省略する。
【００５９】
上記切断ステップでは、包装袋の着色領域を切断して包装袋を開封する切断手段は、鋭利な部分を有する包装袋を切断可能なものであればよく、例えば、はさみ、ナイフなどが挙げられる。切断手段による切断は、作業者により行われても、機械により自動的に行われてもよい。
【００６０】
上記切断ステップにおいては、例えば切断手段の切断面が蛇行した場合等に、包装袋の切れ端が発生して食品に混入することとなる。この切片は、包装袋から内容物を取出す取出しステップにおいて、作業者により検知されて、異物として内容物から取り除かれるべきものである。
【００６１】
本実施の形態の内容物取出し方法は、上記切断ステップにおいて包装袋の着色領域を切断するため、発生する切片は着色領域に由来するものとなる。このため、切断ステップにおいて発生した切片が内容物に混入した場合であっても、取出しステップにおいて、作業者は当該切片を容易に検知し内容物から取り除くことができる。したがって、異物混入クレームの発生や、異物混入によるイメージの低下を確実に防ぐことができる。
【００６２】
また、上記取出しステップは、上記着色領域との色差△Ｅ＊ａｂが３０以上の面の上で行われることが好ましい。これにより、作業者は、取出しステップにおいて、作業を行う面上の切片をも容易に検知することができるから、切片をより確実に取り除くことができる。上記着色領域との色差△Ｅ＊ａｂが３０以上の面としては、例えば、作業台、コンベア、選別用トレーなどを挙げることができる。
【００６３】
本実施の形態の内容物取出し方法は、取出された内容物を他の容器に詰め替える詰替えステップをさらに含むものであってもよい。この場合、袋詰製品の内容物を別の容器に詰替える内容物詰替え方法となる。
【００６４】
上記説明したように、本実施の形態の内容物取出し方法は、切断ステップにおいて発生した切片を、取出しステップにおいて、作業者が内容物から取り除くことが容易である。このため、詰め替えステップにおいて詰替えられた内容物への切片の混入を防ぐことができる。なお、上記「他の容器」とは、上記袋詰製品の包装袋以外の容器をいい、例えば、缶、樹脂製の容器等が挙げられる。
【００６５】
以上のように、本実施の形態の内容物取出し方法および内容物詰替え方法は、取出しステップにおいて包装袋の着色領域を切断するものであるから、取出しステップにおいて、作業者が容易に切片を検知して取り除くことができる。このため、異物である切片が内容物に含まれることを確実に防止し、異物混入クレームや製造元のイメージ低下を防ぐことができる。
【００６６】
本発明は上述した各実施形態に限定されるものではなく、請求項に示した範囲で種々の変更が可能である。すなわち、異なる実施形態にそれぞれ開示された技術的手段を適宜組み合わせて得られる実施形態についても本発明の技術的範囲に含まれる。
【００６７】
【実施例】
本発明の一実施例について図３に基づいて説明すれば、以下のとおりである。
【００６８】
本実施例の包装袋は、図３に示すように、着色シート２３と透明シート２４とを接着して形成された包装袋２２であり、内容物２１としてリンゴ果肉のシロップ漬けを包装するものである。
【００６９】
本実施の形態の包装袋２２を構成する着色シート２４としては、大日本インクカラーガイド１２版の色番号が、１８０、２５５、２６、１２０、８７、２３、１７４、および６５の包材（コクヨ製、商品名：クリアカードホルダー）を用いた。
【００７０】
また、包装袋２２を構成する透明シート２３としては、大日本インクカラーガイド１２版の色番号が８の包材（大日印刷（株）製、商品名：多属シート）を用いた。そして、種々の色番号のカラーシート２３と、透明シート２４とを接着することにより種々の包装袋２２を作製した。
【００７１】
上記の着色シート２３として用いた包材により形成された切片と、内容物２１としてのリンゴ果肉との色差を、色彩色差計ＣＲ−２００（ミノルタ社製）を用いて測定し、両者の色差△Ｅ＊ａｂを求めた。その結果を表１に示す。
【００７２】
包装袋２２中のリンゴ果肉を取出すために、包装袋２２をまな板の上に固定し、着色領域３３としての着色シート２３よりなる着色面の中央を、作業者により切断した。このときに包丁の切断面を蛇行させることにより、長さ１０ｍｍ、幅５ｍｍの切片（切れ端）を発生させリンゴ果肉に混入させた。
【００７３】
上記のようにしてリンゴ果肉中に混入させた切片の検知し易さを熟練者により評価した。その結果を表１に示す。
【００７４】
【比較例】
着色シート２３と透明シート２４とを接着する代わりに、２枚の透明シート２４を接着して包装袋２２を作製した以外は、実施例と同様にした。上記の透明シート２４として用いた包材により形成された切片と、内容物２１としてのリンゴ果肉との色差を、色彩色差計ＣＲ−２００（ミノルタ社製）を用いて測定し、両者の色差△Ｅ＊ａｂを求めた。その結果を表１に示す。
【００７５】
また、上記と同様にしてリンゴ果肉中に混入させた切片の検知し易さを熟練者により評価した。その結果を表１に示す。
【００７６】
【表１】
2004001819.tif 000003
【００７７】
【発明の効果】
以上のように、本発明の包装袋、および袋詰製品は、およびその内部に包装されるべき内容物との色差△Ｅ＊ａｂが３０以上である着色領域を有するものである。また、本発明の袋詰製品は、内容物との色差△Ｅ＊ａｂが３０以上である着色領域を有する構成である。
【００７８】
それゆえ、包装袋の一部を切断する際に切片が生じた場合に、該切片と内容物とを容易に検知することができる。これにより、該切片に起因する異物混入クレームの発生を防止できるという効果を奏する。
【００７９】
本発明の内容物を取出す方法、および内容物詰替え方法は、それぞれ包装袋の着色領域を切断する切断ステップを含んでいる。
【００８０】
それゆえ、切断ステップにおいて発生した切片を、内容物と容易に見分けることができる。これにより、内容物に混入した切片の検知を容易にし、異物混入クレームの発生を防止できるという効果を奏する。
【図面の簡単な説明】
【図１】本発明の実施の形態１の袋詰製品の概略を示す正面図である。
【図２】本発明の実施の形態１の袋詰製品の包装袋の切片が、内容物に混入した状態の概略を示す正面図である。
【図３】本発明の実施の形態２の袋詰製品の包装袋の概略を示す図であり、（ａ）は包装袋の斜視図であり、（ｂ）は包装袋の着色シート側からの正面図であり、（ｃ）は包装袋の透明シート側からの裏面図である。
【図４】本発明の実施の形態２の袋詰製品から内容物を取出すために用いられる切断装置の一例を示す概略図である。
【符号の説明】
１０、２０、２０ａ、２０ｂ　袋詰製品
１１、２１　　内容物
１２、２２　　包装袋
１３、３３　　着色領域
１４、３４　　透明領域
１５　　切片
２３　　着色シート
２４　　透明シート
４０　　切断手段（突起部）
４１　　斜面（滑走面）
５０　　切断装置
【図１】
2004001819.tif 000004
【図２】
2004001819.tif 000005
【図３】
2004001819.tif 000006
【図４】
2004001819.tif 000007